(57)【要約】【課題】頻繁に石鹸液を交換したり保守点検したりする必要があった。空気によって内部に付着した石鹸液が乾燥して固体化し、つまり等の原因となっていた。【解決手段】石鹸液タンクと、電磁ポンプと、石鹸水出口と洗浄水出口とが形成された蛇口と、蛇口の近くに配置されたセンサと、外部から電磁ポンプへ水を送る通路を開閉する第１の電磁バルブと、外部から洗浄水出口に水を送る通路を開閉する第２の電磁バルブとを備えた。石鹸水の吐出後も、希釈室を通して蛇口の石鹸水出口に水が送られ、その出口から水が出るようにした。蛇口の洗浄水出口が洗浄水をシャワー状に噴出するものとした。【選択図】　　　図２
2004008594.tif 000002
【特許請求の範囲】
【請求項１】
石鹸液タンクと、電磁ポンプと、石鹸水出口と洗浄水出口とが形成された蛇口と、蛇口の近くに配置されたセンサと、外部から電磁ポンプの希釈室へ水を送る通路を開閉する第１の電磁バルブと、外部から洗浄水出口に水を送る通路を開閉する第２の電磁バルブとを備え、蛇口の下に手を差し出すとセンサが手を感知し、その感知により電磁ポンプが作動して、電磁ポンプに石鹸液タンクから石鹸液が導入され、外部から水が導入され、電磁ポンプの希釈室内においてその水で石鹸液が希釈されて、石鹸水が作られ、その石鹸水が蛇口の石鹸水出口に送り出され、その後、蛇口の洗浄水出口から洗浄水が流出されて、手に付着している石鹸水が洗い流されるようにしたことを特徴とする石鹸洗浄・水洗い装置。
【請求項２】
請求項１記載の石鹸洗浄・水洗い装置において、石鹸水の吐出後も、電磁ポンプの希釈室を通して蛇口の石鹸水出口に水が送られ、その出口から水が出るようにしたことを特徴とする石鹸洗浄・水洗い装置。
【請求項３】
請求項１又は請求項２記載の石鹸洗浄・水洗い装置において、蛇口の洗浄水出口が洗浄水をシャワー状に噴出するものであることを特徴とする石鹸洗浄・水洗い装置。
【発明の詳細な説明】
【０００１】
【発明の属する技術分野】
本発明は石鹸液を希釈して石鹸水を作り、その石鹸水を吐出し手にかけ、手の洗浄が終わったら、手に付着している石鹸水を洗い流す洗浄水を流出することができる石鹸洗浄・水洗い装置に関し、強制自動手洗・乾燥・消毒装置に組み込んで使用するのに適するものである。
【０００２】
【従来の技術】
食品工場の出入り口、洗面所の出入り口などには食品の衛生管理上、手洗・乾燥・消毒装置が設置されており、その装置により、石鹸液での手の洗浄、水洗い、手の乾燥、アルコールでの手の消毒といった一連の手洗いを確実に行なわないと、出入り口のドアの電気錠が開錠されずオートドアが開かないようにして、前記手洗・乾燥・消毒を強制的に行なわせるようにしてある。
【０００３】
前記強制手洗・乾燥・消毒装置の一例として特公平４−５３５３０号に開示されたものがある。それは図３に示すように、蛇口の下に手を差し出すと自動的に石鹸液が出て手をもみ洗いすることができる石鹸液洗浄装置と、自動的に水が出て石鹸液を洗い流す水洗い部と、自動で強風が吹き出て手を乾燥する乾燥部と、殺菌用アルコールが噴霧されて手を消毒する消毒部とを備え、どの工程でも手を差し出して所定時間だけ手のもみ洗い、水洗い、乾燥、消毒をしないと次の工程の機器が作動しないようにしてある。更に、手を感知するセンサ及び手の感知時間を積算するタイマーをも備えて、手のもみ洗い、水洗い、乾燥、消毒を所定時間以上行なわないと警告音が発生したり、もみ洗い、水洗い、乾燥、消毒などのいずれかの行為が中断すると、中断した工程の機器の作動が停止して、中断した行為を最初からやり直さなければならないようにして、全ての手洗い作業が所定時間確実に行われない限り、出入り口のドアの電気錠が開錠されずオートドアが開かず、手のもみ洗い、水洗い、乾燥、消毒洗いを強制的に行なわざるを得ないようにしてある。
【０００４】
【発明が解決しようとする課題】
しかし、前記した従来の石鹸洗浄装置は次のような課題があった。
（１）石鹸液と洗浄水が別々の蛇口から出るため、石鹸液で手を洗浄してから、洗浄水が出る蛇口の下に手を移動させなければならず、石鹸液での手の洗浄、水洗いが面倒であった。
（２）予め高濃度の石鹸液（原液）が約１０倍に希釈されている石鹸液をタンクに入れておき、その石鹸液を電磁ポンプで吸引して蛇口から吐出するので、石鹸液を長時間吐出せずに放置しておくと、石鹸液吐出口が詰まって、次の吐出時に石鹸液が出にくくなる。
（３）希釈されている石鹸液を使用しているため、石鹸液の消費量が多く、石鹸液の補充、交換、点検といった保守に手間がかかり、煩雑であり、それら保守にかかる費用も高くなり、ランニングコストが高くなる。
【０００５】
【課題を解決するための手段】
本発明の目的は、石鹸液を吐出直前に電磁ポンプ内で希釈して石鹸水にして使用することができ、その石鹸水での手の洗浄、水洗いが容易であり、石鹸水の詰まりがなく、石鹸水を確実に吐出することができ、ランニングコストも安価で経済的な石鹸洗浄・水洗い装置を提供することにある。
【０００６】
本件出願の請求項１の石鹸洗浄・水洗い装置は、石鹸液タンクと、電磁ポンプと、石鹸水出口と洗浄水出口とが形成された蛇口と、蛇口の近くに配置されたセンサと、外部から電磁ポンプの希釈室へ水を送る通路を開閉する第１の電磁バルブと、外部から洗浄水出口に水を送る通路を開閉する第２の電磁バルブとを備え、蛇口の下に手を差し出すとセンサが手を感知し、その感知により電磁ポンプが作動して、電磁ポンプに石鹸液タンクから石鹸液が導入され、外部から水が導入され、電磁ポンプの希釈室内においてその水で石鹸液が希釈されて、石鹸水が作られ、その石鹸水が蛇口の石鹸水出口に送り出され、その後、蛇口の洗浄水出口から洗浄水が流出されて、手に付着している石鹸水が洗い流されるようにしたものである。
【０００７】
本件出願の請求項２の石鹸洗浄・水洗い装置は、請求項１記載の石鹸洗浄・水洗い装置において、石鹸水の吐出後も、電磁ポンプの希釈室を通して蛇口の石鹸水出口に水が送られ、その出口から水が出るようにしたものである。
【０００８】
本件出願の請求項３の石鹸洗浄・水洗い装置は、請求項１又は請求項２記載の石鹸洗浄・水洗い装置において、蛇口の洗浄水出口が洗浄水をシャワー状に噴出できるようにしたものである。
【０００９】
【発明の実施の形態】
（実施形態１）
本発明の石鹸洗浄・水洗い装置の一実施形態を図面に基づいて説明する。図１に示す石鹸洗浄・水洗い装置はケース１内に図２に示す電磁ポンプ６が内蔵され、ケース１の外側に蛇口２と、手を感知するセンサ３とが設けられている。
【００１０】
蛇口２は電磁ポンプ６内に石鹸液を水で稀釈して得られた石鹸水が流出する石鹸水出口４と中心部に、その外側に洗浄水が流出する洗浄水出口５とが一体に形成されている。この場合、両出口４、５は同心円状に形成されている。洗浄水出口５は洗浄水がシャワー状に噴出される孔の形状と孔の配置にしてある。孔の大きさは任意に選択することができる。多数の孔は全てが同じ大きさにする必要はなく、異なるものでもよい。その場合、多数の孔を同心円状に数列形成し、外側の列の孔を内側の列の孔よりも大きくしたり、それとは逆に小さくしたりすることができる。
【００１１】
センサ３は人の手を感知できるものであれば、どのようなものでも使用可能であるが、例えば、赤外線センサ、光電センサ、近接スイッチ等の各種センサを使用することができる。
【００１２】
ケース１内の電磁ポンプ６は、石鹸液タンク７から石鹸液を導入し、それを希釈して蛇口２の石鹸水出口４に送り出すものである。電磁ポンプ６の一例を図２に示す。その電磁ポンプ６は石鹸液導入口８と、導入された石鹸液を一時的に貯留するポンプ室９と、ポンプ室９から送り出された石鹸液を給水口１１から供給される水で希釈する希釈室１０と、その希釈により得られる石鹸水を蛇口２に送り出す石鹸水送出口１２と、ポンプ室９内の石鹸液が石鹸液タンク７に逆流するのを防止する導入口逆止弁１３と、希釈室１０内の石鹸水がポンプ室９内に逆流するのを防止する希釈室逆止弁１４と、ダイアフラム１９とを備える。ダイアフラム１９は駆動源によりポンプ室９側とそれとは反対側とに変動され、ポンプ室９側への変動時には希釈室逆止弁１４を開いてポンプ室９内の石鹸液を希釈室１０に送り出し、反対側への変動時にはポンプ室９内を負圧にして導入口逆止弁１３を開いて石鹸液導入口８からポンプ室９内に石鹸液を導入できるようにしてある。
【００１３】
前記導入口逆止弁１３は通常はスプリング１５により石鹸液導入口８に押し付けられて石鹸液導入口８を閉塞し、前記希釈室逆止弁１４はスプリング１６により下方に押されて希釈室を閉塞している。
【００１４】
前記ダイアフラム１９は通常はスプリング２０により下方に押されており、ソレノイド１７によりプランジャ１８を上下動させると、それにつれて上下（ポンプ室９側とその反対側）に往復変動可能としてある。ソレノイド１７への通電時間は予め設定されている。本例では駆動源にソレノイド１７を用いたが、駆動源は、その他のもの、例えばエアシリンダ等であっても良い。
【００１５】
本発明の石鹸洗浄・水洗い装置の電磁ポンプ６、蛇口２は例えば図２のように配管される。電磁ポンプ６の石鹸液導入口８に石鹸液タンク７が配管され、希釈室１０に給水管３０が配管され、希釈室１０の石鹸水送出口１２に排出管３１が配管され、その排出管３１の先に蛇口２の石鹸水出口４が連結される。蛇口２の洗浄液出口５には配水管３２が連結される。前記給水管３０は電磁バルブ３３により開閉され、前記配水管３２は電磁バルブ３４により開閉される。夫々の電磁バルブ３３、３４の開閉時間は予め設定されている。
【００１６】
図２のように配管された本発明の石鹸洗浄・水洗い装置の動作を以下に説明する。
（１）図２ではソレノイド１７が非通電状態であり、プランジャ１８はスプリング２０で押されて下がっており、導入口逆止弁１３、希釈室逆止弁１４は共に閉じた状態となっている。希釈室１０には給水口１１より送られた水があり、ポンプ室９内には石鹸液が入っている。
（２）前記状態で、蛇口２の下に手を差し出すと、蛇口２の近くに配置されているセンサ３が手を検知し、その検知に基づいてソレノイド１７に通電され、ソレノイド１７が作動し、プランジャ１８が押し上げられ、プランジャ１８によりダイアフラム１９がポンプ室９内へ突出する（変動する）ように押される。この変動によってポンプ室９内の石鹸液が加圧され、希釈室逆止弁１４が開いて希釈室１０へ送られる。
（３）石鹸液が希釈室１０へ送られると、給水管３０の電磁バルブ３３が開いて水が希釈室１０内に供給され、この水と、先に希釈室１０内に貯められていた水とにより石鹸液が約１０倍に希釈されて、石鹸水が作られる。
（４）石鹸水は排出管３１に吐出され、蛇口２の石鹸水出口４から排出され、蛇口２の下に差し出している手にかかる。電磁バルブ３３が閉じると石鹸水の供給が停止される。しばらく（予め設定してある時間：数秒〜数十秒）経過すると配水管３２の電磁バルブ３４が開いて水が蛇口２の洗浄水出口５に供給されて排出される。これが手にかかって、手に付着している石鹸水が洗い流され、水洗いされる。この電磁バルブ３３が閉、電磁バルブ３４が開になるまでの時間に手に付着している石鹸水を両手で擦り石鹸水を泡立たせて手の汚れを石鹸水に拡散させる手洗い行為を行う。電磁バルブ３３、３４が開くタイミングと、開いている時間（閉じるタイミング）も予め設定されている。この間、スプリング１５に押された導入口逆止弁１３によって石鹸液導入口８が閉じられている。
（５）一定量の石鹸液が希釈室内に注入されるとソレノイド１７への通電が停止し、ダイアフラム１９がスプリング２０でポンプ室９の外に押し戻され、プランジャ１８も押し戻される。これによりポンプ室９内が負圧になり、希釈室１０内の希釈室逆止弁１４がスプリング１６で押されて、希釈室１０の出入口が閉じられる。同時に、石鹸液導入口８の導入口逆止弁１３が開いて、タンク７内の石鹸液がポンプ室９内に吸引されて貯まる。
（６）所定時間経過して石鹸液がポンプ室９内に所定量貯まると、ポンプ室９内が増圧し、導入口逆止弁１３がスプリング１５で押し戻されて石鹸液導入口８が閉じられる。
（７）以上の動作を繰り返すことによって、電磁ポンプ６は所定量の石鹸液を吸引し、所定量の石鹸液を約１０倍に希釈して吐出することができる。
（８）前記（４）では、石鹸水の吐出が終わると電磁バルブ３３が閉じ、その後に電磁バルブ３４が開いて手洗い用の水が蛇口２より流出するようにしてあるが、本発明では石鹸水の吐出後も電磁バルブ３３を開いたままにして、洗浄水出口５より水洗い用の水が出ているときに、希釈室１０を通して石鹸水出口４からも水が出るようにすることもできる。この場合、希釈室１０内は水で洗浄される。
【００１７】
【発明の効果】
本件出願の請求項１の石鹸洗浄・水洗い装置は次のような効果を有する。
（１）１つの蛇口に石鹸水出口と洗浄水出口とがあるため、蛇口の下に手を差し出すだけで、石鹸水での洗浄と、洗浄水での石鹸液の洗い流し（水洗い）とを行なうことができ、石鹸水での洗浄時と、水洗い時とで手を移動させる（違う場所に移し変える）必要がなく、手洗いが容易になる。
（２）石鹸水出口と洗浄水出口とが、一つの蛇口にあってもまとめられているため、蛇口がコンパクトになる。
（３）石鹸水送出口、石鹸水出口が自動的にで水洗されるので、石鹸水を長期間吐出しなくとも、石鹸水で出口が詰まることがない。このため、蛇口から、いつでも円滑に石鹸水が吐出される。
（４）石鹸液が希釈されて出るため石鹸液の消費量が少なくなり、石鹸液の補充、点検、交換といったメンテナンスが容易になり、ランニングコストも低減する。
（５）１つの蛇口から、先に石鹸水が吐出され、その後に洗浄水が流出されるため、使用者に強制的に石鹸による手洗いを行わざるをえなくなり、手洗いの実効が確保される。
【００１８】
本件出願の請求項２の石鹸洗浄・水洗い装置は、石鹸水の吐出後も、電磁ポンプの希釈室を通して蛇口の石鹸水出口に水が送られ、その出口から水が出るので、希釈室が石鹸水の吐出が終わった後に、必ず水で洗浄され、希釈室やその出入口、希釈室逆止弁のボール等が石鹸水で汚れたままになることがなく、乾燥した石鹸液で希釈室の出入り口や通路が目詰まりすることがない。このため、いつでも石鹸水が円滑に吐出される。
【００１９】
本件出願の請求項３の石鹸洗浄・水洗い装置は、蛇口の洗浄水出口が洗浄水をシャワー状に噴出するものであるため、手全体に洗浄水がかかり易くなり、部分的に洗い残りが生ずることがなく、確実な水洗いができる。
【図面の簡単な説明】
【図１】本発明に係る石鹸洗浄装置の実施形態の１つを示した斜視図。
【図２】図１に示す石鹸洗浄装置の構造を示す説明図。
【図３】従来の手洗・乾燥・消毒装置を示す説明図。
【符号の説明】
１　ケース
２　蛇口
３　センサ
４　石鹸水出口
５　洗浄水出口
６　電磁ポンプ
７　石鹸液タンク
８　石鹸液導入口
９　ポンプ室
１０　希釈室
１１　給水口
１２　石鹸水送出口
１３　導入口逆止弁
１４　希釈室逆止弁
１５　スプリング
１６　スプリング
１７　ソレノイド
１８　プランジャ
１９　ダイアフラム
２０　スプリング（プランジャ用）
３０　給水管
３１　排出管
３２　配水管
３３　電磁バルブ
３４　電磁バルブ
【図１】
2004008594.tif 000003
【図２】
2004008594.tif 000004
【図３】
2004008594.tif 000005